(57)【要約】【課題】本発明は、担持体２における、測長プローブ１の固定のための締付け装置に関する。【解決手段】この締付け装置は、測長プローブ１のプローブシャフト３の周囲からの把持のための締付けスリーブ６１から成っている。この締付けスリーブ６１は、周囲にわたって分配され且つ軸線方向に延在する複数の曲げビームの配列を有しており、これら曲げビームが、緊張装置を用いて、前記プローブシャフト３に対して可動である。この緊張装置は、前記締付けスリーブ６１の周囲にわたって分配されているシェル体７、８の配列から成り、且つ、前記緊張装置の直径が、ねじ５によって、このねじが、内方へと整向された半径方向力を前記締付けスリーブ６１に対して作用し、且つ、このことによって、前記曲げビームが前記プローブシャフト３に対して移動するように、位置調節可能である。【選択図】      図１
2018063248.tif 000002
【特許請求の範囲】
【請求項１】
担持体（２）における、測長プローブ（１）の固定のための締付け装置であって、この締付け装置が、
−前記測長プローブ（１）のプローブシャフト（３）の周囲からの把持のための締付けスリーブ（６１〜６５）を有し、
この締付けスリーブ（６１〜６５）が、周囲にわたって分配され且つ軸線方向に延在する複数の曲げビーム（１００〜１０６）の配列を有しており、これら曲げビームが、前記プローブシャフト（３）に対して可動であり、
−緊張装置（７、８）を有し、この緊張装置が、
前記締付けスリーブ（６１〜６５）の周囲を囲繞し、且つ、
前記緊張装置の直径が、この緊張装置が内方へと整向された半径方向力を前記締付けスリーブ（６１〜６５）に対して作用し、且つ、このことによって、前記曲げビーム（１００〜１０６）が前記プローブシャフト（３）に対して移動するように、位置調節可能であり、
前記締付けスリーブ（６１〜６５）、および、前記緊張装置（７、８）が、
前記曲げビーム（１００〜１０６）の配列に対しての前記緊張装置（７、８）の力作用が軸線方向の第１の位置（Ｘ１）に設けられている第１の作用面（Ｋ１〜Ｋ４）において行われ、および、この軸線方向の第１の位置（Ｘ１）から離間された軸線方向の第２の位置（Ｘ２）に設けられている第２の作用面（Ｋ５〜Ｋ８）において行われるように、
形成されていることを特徴とする締付け装置。
【請求項２】
前記第１の作用面（Ｋ１〜Ｋ４）は、それぞれに、前記曲げビーム（１００〜１０６）における、または、前記緊張装置（７、８）における隆起部の様式において設けられており、および、
この隆起部に対して軸線方向に離間された状態で、前記第２の作用面（Ｋ５〜Ｋ８）が、それぞれに、前記曲げビーム（１００〜１０６）における、または、前記緊張装置（７、８）における隆起部の様式において設けられていることを特徴とする請求項１に記載の締付け装置。
【請求項３】
前記緊張装置は、前記締付けスリーブ（６１〜６５）の周囲にわたって設けられ且つこの締付けスリーブを周囲から把持する複数のシェル体（７、８）であり、これらシェル体が、半径方向に、前記締付けスリーブ（６１〜６５）の中心へと移動可能であることを特徴とする請求項１または２に記載の締付け装置。
【請求項４】
前記シェル体（７、８）のそれぞれのシェル体は、それぞれに、周囲にわたって設けられた前記曲げビーム（１００〜１０６）の内の複数の曲げビームを、周囲から把持し、且つ、前記シェル体（７、８）のそれぞれのシェル体が、同じ数の前記曲げビーム（１００〜１０６）を周囲から把持し、および、
前記曲げビーム（１００〜１０６）の配列に対する前記シェル体（７、８）のそれぞれのシェル体の力作用が、前記第１の作用面（Ｋ１〜Ｋ４）の内の複数の第１の作用面、および、前記第２の作用面（Ｋ５〜Ｋ８）の内の複数の第２の作用面において作用することを特徴とする請求項３に記載の締付け装置。
【請求項５】
前記シェル体（７、８）が、それぞれに１つの結合手段（９）を介して、互いに連結されており、この結合手段は、
この結合手段がそれぞれに２つのシェル体（７、８）を、軸線方向Ｘに不動に互いに連結しており且つ半径方向に移動可能に互いに連結しているように、
形成されていることを特徴とする請求項３または４に記載の締付け装置。
【請求項６】
前記結合手段（９）は、固体リンク部として形成されていることを特徴とする請求項５に記載の締付け装置。
【請求項７】
前記締付けスリーブ（６１〜６５）と前記シェル体（７、８）との間に、この締付けスリーブ（６１〜６５）とこれらシェル体（７、８）との間の誤回転防止を形成する、形状的に係合する結合部が設けられていることを特徴とする請求項３から６のいずれか一つに記載の締付け装置。
【請求項８】
前記シェル体の内の少なくとも１つのシェル体（７）は、前記軸線方向の第１の位置（Ｘ１）と前記軸線方向の第２の位置（Ｘ２）との間で、ねじ５の位置決めのため切欠き部（１０）を有しており、このねじでもって、前記シェル体（７）が、半径方向に移動可能であることを特徴とする請求項３から７のいずれか一つに記載の締付け装置。
【請求項９】
前記曲げビーム（１００、１０１）は、これら曲げビームが、それぞれに、端部側で、リング（１３、１４）に枢着されているというやり方で、両側で取り付けられており、且つ、曲げビーム（１００、１０１）のそれぞれの曲げビームが、これらリング（１３、１４）の間で、前記第１の作用面（Ｋ１〜Ｋ４）の内の１つの第１の作用面、および、前記第２の作用面Ｋ５〜Ｋ８の内の１つの第２の作用面を有していることを特徴とする請求項１から８のいずれか一つに記載の締付け装置。
【請求項１０】
前記第１の作用面（Ｋ１〜Ｋ４）、および、前記第２の作用面（Ｋ５〜Ｋ８）は、それぞれに、所属して設けられた前記リング（１３、１４）から、軸線方向に離間されて設けられており、および、前記曲げビーム（１００、１０１）の端部側の部分が、それぞれに、半径方向に弾性的に形成されていることを特徴とする請求項９に記載の締付け装置。
【請求項１１】
前記曲げビーム（１００、１０１）は、前記第１の作用面（Ｋ１〜Ｋ４）と前記第２の作用面（Ｋ５〜Ｋ８）との間で、それぞれに、半径方向に弾性的に形成されていることを特徴とする請求項９または１０に記載の締付け装置。
【請求項１２】
前記締付けスリーブ（６１、６２）は、周囲にわたって均等に分配され、両側で取り付けられた、４つの曲げビーム（１００、１０１）を有していることを特徴とする請求項９から１１のいずれか一つに記載の締付け装置。
【請求項１３】
前記締付けスリーブ（６３、６４）は、周囲にわたって分配され且つ相互に離間されている、片側で取り付けられ且つこの締付けスリーブの取付け位置を出発点として第１の軸線方向（＋Ｘ）に延在する、複数の第１の曲げビーム（１０２、１０４）を有しており、これら第１の曲げビームが、内方へと、前記プローブシャフト（３）に対して可動であり、且つ、これら第１の曲げビームの内のそれぞれの第１の曲げビームが、前記第１の作用面（Ｋ１〜Ｋ４）の内の１つの第１の作用面を有しており、および、
前記締付けスリーブ（６３、６４）が、周囲にわたって分配され且つ相互に離間されている、片側で取り付けられ且つこの締付けスリーブの取付け位置を出発点として、前記第１の軸線方向とは逆に延在する、複数の第２の曲げビーム（１０３、１０５）を有しており、これら第２の曲げビームが、内方へと、前記プローブシャフト（３）に対して可動であり、且つ、これら第２の曲げビームの内のそれぞれの第２の曲げビームが、前記第２の作用面（Ｋ５〜Ｋ８）の内の１つの第２の作用面を有していることを特徴とする請求項１から８のいずれか一つに記載の締付け装置。
【請求項１４】
前記第１の作用面（Ｋ１〜Ｋ４）、および、前記第２の作用面（Ｋ５〜Ｋ８）は、それぞれに、それぞれの曲げビーム（１０２〜１０５）の取付け位置から離間されて設けられており、且つ、前記曲げビーム（１０２〜１０５）の端部側の部分が、それぞれに、半径方向に弾性的に形成されていることを特徴とする請求項１３に記載の締付け装置。
【請求項１５】
前記締付けスリーブ（６３）は、両方の端部に、それぞれに１つのリング（１３、１４）を有しており、および、
これらリングの内の一方のリング（１３）に、片側で取り付けられた第１の曲げビーム（１０２）の取付け位置が設けられており、且つ、他方のリング（１４）に、片側で取り付けられた第２の曲げビーム（１０３）の取付け位置が設けられていることを特徴とする請求項１３または１４に記載の締付け装置。
【請求項１６】
前記両方のリング（１３、１４）は、軸線方向に延在するウェブ（１７）を介して、互いに結合されていることを特徴とする請求項１５に記載の締付け装置。
【請求項１７】
前記締付けスリーブ（６４）は、１つのリング（２０）を有しており、このリングに、片側で取り付けられた第１の曲げビーム（１０４）の取付け位置が設けられており、並びに、片側で取り付けられた第２の曲げビーム（１０５）の取付け位置が設けられていることを特徴とする請求項１３または１４に記載の締付け装置。
【請求項１８】
前記締付けスリーブ（６５）は、周囲にわたって分配され且つ相互に離間されている、片側で取り付けられ且つ軸線方向に延在する複数の曲げビーム（１０６）を有しており、これら曲げビームが、内方へと、前記プローブシャフト（３）に対して偏位可能であり、
前記曲げビームの内のそれぞれの曲げビームが、前記第１の作用面（Ｋ１〜Ｋ４）の内の１つの第１の作用面、および、前記第２の作用面（Ｋ５〜Ｋ８）の内の１つの第２の作用面を有していることを特徴とする請求項１から８のいずれか一つに記載の締付け装置。
【請求項１９】
担持体（２）の穿孔内における、測長プローブ（１）のプローブシャフト（３）の固定のための、請求項１から１８のいずれか一つに記載の締付け装置の使用。
【請求項２０】
測長のための装置であって、この装置が、
中空円筒形のプローブシャフト（３）およびこのプローブシャフト内において軸線方向に移動可能に支承された接触ピン（４）を有する、１つの測長プローブ（１）、および、１つの担持体（２）を備え、
この担持体に、前記測長プローブ（１）の前記プローブシャフト（３）が固定されており、
この担持体（２）が、１つの穿孔を有しており、この穿孔内において、請求項１から１８のいずれか一つに従い構成されている締付け装置（６１〜６５）が装入され、且つ、
前記締付け装置が、ねじ（５）が半径方向に前記担持体（２）内へとねじ込まれ且つ前記半径方向力を前記緊張装置（７、８）に対して作用するというやり方で、前記測長プローブ（１）の前記プローブシャフト（３）を円周状に締付けることを特徴とする装置。
【発明の詳細な説明】
【技術分野】
【０００１】
本発明は、担持体における、測長プローブの固定のための締付け装置に関する。
【背景技術】
【０００２】
特許文献１は、冒頭に記載した様式の締付け装置を開示している。
この締付け装置は、締付けスリーブを備えており、この締付けスリーブが、測長プローブのプローブシャフトを周囲から把持し（ｕｍｇｒｅｉｆｔ）、且つ、円周状に締付ける。この締付けスリーブは、スリットを付けられており、且つ、軸線方向に相互に離間され、内方へと指向し、ストリップ状に周囲にわたって延在する２つの締付け面を有している。軸線方向に、これら締付け面の間で、この締付けスリーブにおいて、位置調節部材が作用しており、その際、作用面が、固体リンク部を介して、半径方向に可撓的に、この締付けスリーブに設けられている。
【０００３】
この従来技術に従う構造において、締付け力が、不均等に、周囲にわたって分配され、且つ、固体リンク部を介して、プローブシャフトの締付けのために十分な締付け力を作用することには問題点であることは、不利である。
【先行技術文献】
【特許文献】
【０００４】
【特許文献１】ドイツ連邦共和国実用新案第２０２  １５  ７５４  Ｕ１号明細書
【発明の概要】
【発明が解決しようとする課題】
【０００５】
本発明の根底をなす課題は、締付け装置を提供することであり、この締付け装置でもって、測長プローブのプローブシャフトの円周状の締付けが最適化される。
【課題を解決するための手段】
【０００６】
この課題は本発明に従い、請求項１の特徴を有する締付け装置によって解決される。
【発明の効果】
【０００７】
本発明に従い構成された締付け装置は、プローブシャフトの周囲からの把持のための締付けスリーブを有し、その際、この締付けスリーブが、周囲にわたって分配され且つ軸線方向に延在する複数の曲げビームの配列を有しており、これら曲げビームが、前記プローブシャフトに対して可動である。
この締付け装置は、更に、緊張装置を有し、この緊張装置が、前記締付けスリーブの周囲を囲繞し（ｕｍｇｉｂｔ）、且つ、前記緊張装置の直径が、この緊張装置が内方へと整向された半径方向力を前記締付けスリーブに対して作用し、且つ、このことによって、前記曲げビームが内方へと移動するように、位置調節可能である。
前記締付けスリーブ、および、前記緊張装置は、前記曲げビームの配列に対しての前記緊張装置の力作用が軸線方向の第１の位置に設けられている第１の作用面において行われ、および、この軸線方向の第１の位置から離間された軸線方向の第２の位置に設けられている第２の作用面において行われるように、形成されている。
【０００８】
本発明の有利な実施形態は、従属請求項内において記載されている構成から与えられる。
【０００９】
第１の作用面、および、第２の作用面は、それぞれに、曲げビームにおける、または、緊張装置における、隆起部の様式において設けられ得る。この緊張装置は、それ自体で公知の緊張リング、もしくは、緊張クランプとして構成され得る。
この緊張装置は、締付けスリーブの周囲にわたって設けられ且つこの締付けスリーブを周囲から把持する、複数のシェル体から形成され、これらシェル体が、内方へと相対して移動可能である場合、しかしながら特に有利である。この締付けスリーブ、および、従って、プローブシャフトの、中心の方向への、これら複数のシェル体の半径方向の移動可能性によって、この締付けスリーブに対する半径方向力の対称的な導入は、誤旋回を誘起する力成分無しに、保証される。
特に、その場合に、シェル体のそれぞれのシェル体は、それぞれに、周囲にわたって設けられた曲げビームの内の複数の曲げビームを、周囲から把持し、且つ、これらシェル体のそれぞれのシェル体が、同じ数の曲げビームを周囲から把持し、従って、これら曲げビームの配列に対する前記シェル体のそれぞれのシェル体の力作用が、第１の作用面の内の複数の第１の作用面、および、第２の作用面の内の複数の第２の作用面において作用する。
【００１０】
曲げビームが、両側で取り付けられており、且つ、これら曲げビームのそれぞれの曲げビームが、これら第１の作用面の内の１つの第１の作用面を、および、この第１の作用面から軸線方向に離間された状態で、これら第２の作用面の内の１つの第２の作用面を有している場合、特に有利である。
特に、その際、第１の作用面、および、第２の作用面は、曲げビームの中央（Ｍｉｔｔｅ）に対して軸線方向に対称的に設けられている。
【００１１】
締付けスリーブは、両方の端部に、それぞれに１つの、曲げに対して剛性の、且つ従って、有利には閉鎖された（ｇｅｓｃｈｌｏｓｓｅｎｅｎ）、リングを有しており、このリングに、曲げビームが設けられ、即ち、取り付けられている（ｅｉｎｇｅｓｐａｎｎｔ）。
第１の作用面、および、第２の作用面は、その際、それぞれに、端部側のリングから、即ち、取付け位置から、離間されて設けられている。それぞれのリングと、隣接する作用面との間に存在する、曲げビームの端部側の部分は、これら作用面に対する半径方向力の作用の際に、曲げ位置としての機能を果たす。この端部側の曲げ位置は、一種のリンク部として作用し、このリンク部を中心として、曲げビームが、半径方向力の作用の際に、内方へと曲がる（ａｕｓｂｉｅｇｔ）。
それぞれの曲げビームの、第１の作用面と第２の作用面との間の中間の部分は、半径方向に弾性的に偏位可能に、且つ、可撓的に構成されている。これら作用面に対する半径方向力の作用の際に、このことによって、先ず第一に、曲げビームの中間の部分が、内方へと湾曲し、且つ、この曲げビームの内側面でもって、プローブシャフトと接触する。増大する半径方向力でもって、同様に、これら曲げビームのそれぞれの曲げビームがプローブシャフトに対して押圧する面積（内側面）も増大する。この中間の部分の弾性は、これら曲げビームのそれぞれの曲げビームのこの部分の内側面が、均一に、プローブシャフトに密着することのための働きをする。
これら端部側の曲げ位置は、更に、−緊張装置により誘起される−増大する半径方向力の際に、増大して、同様に両方のリングからの力も捕捉され、且つ、このことによってプローブシャフトの許容されていない変形が回避される、ことのための働きをする。
【００１２】
締付けスリーブの選択的な構成は、周囲にわたって分配され且つ相互に離間されている、片側で取り付けられ且つ取付け位置を出発点として第１の軸線方向に延在する、複数の第１の曲げビームを有しており、これら第１の曲げビームが、内方へと、前記プローブシャフトに対して押圧可能であり、且つ、これら第１の曲げビームの内のそれぞれの第１の曲げビームが、前記第１の作用面の内の１つの第１の作用面を有しており、および、
更に、周囲にわたって分配され且つ相互に離間されている、片側で取り付けられ且つ取付け位置を出発点として、前記第１の軸線方向とは逆に延在する、複数の第２の曲げビームを有しており、これら第２の曲げビームが、内方へと、前記プローブシャフトに対して押圧可能であり、且つ、これら第２の曲げビームの内のそれぞれの第２の曲げビームが、前記第２の作用面の内の１つの第２の作用面を有している。
【００１３】
締付けスリーブが、両方の端部に、それぞれに１つの、曲げに対して剛性の、特に閉鎖されたリングを有しており、その際、
これらリングの内の一方のリングに、片側で取り付けられた第１の曲げビームの取付け位置が設けられており、且つ、両方のリングの内の他方のリングに、片側で取り付けられた第２の曲げビームの取付け位置が設けられている場合、有利である。
【００１４】
第１の作用面、および、第２の作用面は、同様にここでも、それぞれに、端部側のリングから、即ち、取付け位置から、離間されて設けられている。それぞれのリングと、隣接する作用面との間に存在する、曲げビームの端部側の部分は、これら作用面に対する半径方向力の作用の際に、曲げ位置としての機能を果たす。この端部側の曲げ位置は、一種のリンク部として作用し、このリンク部を中心として、曲げビームが、半径方向力の作用の際に、内方へと曲がる。
それぞれの曲げビームの、それぞれの作用面の後ろで更に先へ延長する部分は、半径方向に弾性的に偏位可能に、且つ、可撓的に構成されている。これら作用面に対する半径方向力の作用の際に、このことによって、先ず第一に、曲げビームの更に先へ延長する部分が、内方へと湾曲し、且つ、この曲げビームの内側面でもって、プローブシャフトと接触する。増大する半径方向力でもって、これら曲げビームのそれぞれの曲げビームがプローブシャフトに対して押圧する面積（内側面）は増大する。
【００１５】
締付けスリーブの、更に別の選択的な構成は、１つの閉鎖されたリングを有しており、その際、このリングに、片側で取り付けられた第１の曲げビームの取付け位置が設けられており、並びに、片側で取り付けられた第２の曲げビームの取付け位置が設けられている。
【００１６】
第１の作用面、および、第２の作用面は、同様に、ここで、それぞれに、リングから、即ち、取り付け位置（Ｅｉｎｓｐａｎｎｓｔｅｌｌｅ）から離間されて設けられている。このリングと、隣接する作用面との間に存在する、曲げビームの部分は、これら作用面に対する半径方向力の作用の際に、曲げ位置としての機能を果たす。この曲げ位置は、一種のリンク部として作用し、このリンク部を中心として、曲げビームが、半径方向力の作用の際に、内方へと曲がる。
それぞれの曲げビームの、それぞれの作用面の後ろで更に先へ延長する部分は、半径方向に弾性的に偏位可能に、且つ、可撓的に構成されている。これら作用面に対する半径方向力の作用の際に、このことによって、先ず第一に、曲げビームの更に先へ延長する部分が、内方へと湾曲し、且つ、この曲げビームの内側面でもって、プローブシャフトと接触する。増大する半径方向力でもって、これら曲げビームのそれぞれの曲げビームがプローブシャフトに対して押圧する面積（内側面）は増大する。
【００１７】
本発明の更なる詳細および利点を、実施例の以下の説明に基づいて、図との関連において説明する。
【図面の簡単な説明】
【００１８】
【図１】本発明に従い形成された締付け装置により、担持体に固定された測長装置の図である。
【図２】締付け装置の透視図である。
【図３】締付け装置の長手方向断面図である。
【図４】第１の実施例に従う、締付け装置の締付けスリーブの透視図である。
【図５】締付け装置の緊張装置の透視図である。
【図６】締付けスリーブの第２の構成の透視図である。
【図７】締付けスリーブの第３の構成の透視図である。
【図８】締付けスリーブの第４の構成の透視図である。
【図９】締付けスリーブの第５の構成の透視図である。
【発明を実施するための形態】
【００１９】
図１から５は、以下で詳細に説明される、本発明の第１の実施例を示している。
【００２０】
図１は、測長のための装置を示しており、この装置が、プローブシャフト３を有する測長プローブ１、および、このプローブシャフト内において、長手方向Ｘに案内された接触ピン４を備えている。
測定作業のために、この測長プローブ１のプローブシャフト３が、この担持体２の長手方向穿孔内において、円周状に締付けられるというやり方で、この測長プローブ１は、不動の担持体２に固定されている。この目的のために、長手方向穿孔内において、本発明に従い形成された締付け装置が装入され、この締付け装置は、この測長プローブ１のプローブシャフト３を円周状に締付ける。この締付けのために、ねじ５が設けられており、このねじは、担持体２内へと、長手方向Ｘに対して横方向にねじ込まれ、且つ、半径方向力を作用する。
この締付け装置は、測長プローブ１のプローブシャフト３を、一方では、位置固定式に担持体２に保持するため、および、他方では、この測長プローブ１のプローブシャフト３に対して、周囲にわたって、ただ、安定的な保持のために必要である程に大きな締付け力だけを作用するために形成されている。測長プローブ１の場所を取らない構造を達成するために、即ち、接触ピン４のガイドは、多くの場合に、締付け位置の領域内において設けられている。このガイドは、通常は、プローブシャフト３と接触ピン４との間の、ボールガイド、または、スライドガイドである。
【００２１】
この締付け装置を、以下で、図２から５に基づいて詳しく説明する。
この締付け装置は、主構成要素である、締付けスリーブ６１、および、曲げに対して剛性の複数のシェル体７、８の様式における、緊張装置から成っている。締付けスリーブ６１の第１の実施例を、図４が示している。
【００２２】
図５は、シェル体７、８の配列を示しており、この配列が、以下で、更に詳細に説明される全ての実施例の、締付けスリーブ６１〜６５との組み合わせにおいて、使用可能であり、且つ、従って、締付け装置を形成する。
【００２３】
締付けスリーブ６１の内壁は、プローブシャフト３を周囲から把持し、且つ、このプローブシャフト３の締付けのための締付け面を形成する。この締付けスリーブ６１は、周囲にわたって設けられ且つこの締付けスリーブ６１を周囲から把持するシェル体７、８によって、囲繞されている。
ねじ５の作用によって、これらシェル体７、８は、相対して内方へと、および、締付けスリーブ６１の、および、従って、締付けられるべきプローブシャフト３の、中心の方向に、移動可能である。これらシェル体７、８は、このことによって、プローブシャフト３の締付けのために必要な力を締付けスリーブ６１に対して作用する。
【００２４】
締付けスリーブ６１、および、シェル体７、８は、これらシェル体７、８の力作用が、この締付けスリーブ６１に対して、軸線方向の第１の位置Ｘ１に設けられている第１の作用面Ｋ１〜Ｋ４において行われるように、および、軸線方向の第１の位置Ｘ１から離間された軸線方向の第２の位置Ｘ２に設けられている第２の作用面Ｋ５〜Ｋ８において行われるように、形成されている。
これら作用面Ｋ１〜Ｋ８は、この締付けスリーブ６１における平面状の隆起部として形成されている。図示されていない方法において、しかしながら、同様に、シェル体７、８における隆起部も可能である。
【００２５】
締付けスリーブ６１は、周囲にわたって均等に分配され且つ円周状に相互に離間され、それぞれに、両側で取り付けられ且つ軸線方向Ｘ（長手方向）に延在する、複数の曲げビーム１００を有している。それぞれの−本実施例において４つの−、この曲げビーム１００に、それぞれに、第１の作用面Ｋ１〜Ｋ４の内の１つの第１の作用面、並びに、この第１の作用面から軸線方向に離間された状態で、第２の作用面Ｋ５〜Ｋ８の内の１つの第２の作用面が設けられている。
これら第１の作用面Ｋ１〜Ｋ４は、共に、同じ軸線方向の位置Ｘ１に設けられている。これら第２の作用面Ｋ５〜Ｋ８は、共に、軸線方向Ｘに、この軸線方向の第１の位置Ｘ１から離間されている、軸線方向の位置Ｘ２に設けられている。
【００２６】
軸線方向の位置Ｘ１、Ｘ２は、それぞれに、曲げビーム１００の中央に対して対称的に設けられている。更に、これら位置Ｘ１、Ｘ２は、それぞれに、曲げビーム１００の端部側の取り付け位置から離間されている。これら取り付け位置は、その際、それぞれに、端部側の、曲げに対して剛性のリング１３、１４によって形成されている。
【００２７】
第１の作用面Ｋ１〜Ｋ４、および、第２の作用面Ｋ５〜Ｋ８は、それぞれに、所属して設けられたリング１３、１４から、軸線方向に離間されて設けられている。
取り付け位置と作用面Ｋ１〜Ｋ８との間の、曲げビーム１００、１０１の、そのように形成された端部側の部分は、それぞれに、半径方向に弾性的に形成されている。
【００２８】
同様に、第１の作用面Ｋ１〜Ｋ４と第２の作用面Ｋ５〜Ｋ８との間でも、曲げビーム１００、１０１は、それぞれに、半径方向に弾性的に形成されている。
【００２９】
シェル体７、８の内の１つのシェル体が、それぞれに、曲げビーム１００の内の複数の曲げビームを周囲から把持する場合、特に有利である。曲げに対して剛性のシェル体７、８のそれぞれのシェル体は、半径方向力を、更に締付けスリーブ６１へと、第１の作用面Ｋ１〜Ｋ４、および、第２の作用面Ｋ５〜Ｋ８に対して伝達する。このことによって、曲げビームの内側面の均等な力の導入、および、密着は、軸線方向に拡張された（ａｕｓｇｅｄｅｈｎｔ）面を介して保証される。
【００３０】
特に、シェル体７、８のそれぞれのシェル体は、同じ数の曲げビーム１００を周囲から把持している。この構成によって、全周囲にわたって、シェル体７、８から締付けスリーブ６１に対しての、および、更に、プローブシャフト３に対しての、対称的な力伝達は達成される。
【００３１】
具体的な実施例において、締付けスリーブ６１は、周囲（３６０°）にわたって均等に分配され、両側で取り付けられた、４つの曲げビーム１００を有しており、その際、この締付けスリーブ６１を周囲から把持する、２つのシェル体７、８が設けられており、これらシェル体の内のそれぞれのシェル体が、これら曲げビーム１００の内のそれぞれに２つの曲げビームを、周囲から把持している。
【００３２】
複数のシェル体７、８は、結合手段９を介して、互いに連結されている。これら結合手段９は、それぞれに、シェル体７、８の内の２つのシェル体が、軸線方向Ｘに不動に互いに連結されており、且つ、締付けスリーブ６１の中心へと、相対して移動可能に、互いに連結されているように形成されている。結合手段９が、それぞれに、少なくとも１つの固体リンク部によって形成されている場合、特に簡単な構造は与えられる。
具体的な実施例において、円周状に互いに隣接する、２つのシェル体７、８の間の結合手段９は、軸線方向に相対して延在し、且つ、円周状に互い違いに位置ずれされた２つの切込み部によって形成され、その際、これら切込み部の間で残留する、軸線方向に延在するウェブが、軸線方向に剛性の固体リンク部を形成している。
【００３３】
締付けスリーブ６１とシェル体７、８との間に、誤回転防止を形成する、形状的に係合する結合部が設けられていることは可能である。図示された実施例において、この形状的に係合する結合部は、両方のリング１３、１４の内の少なくとも１つのリングにおける、外側の平坦部１１と、および、シェル体７、８の内の少なくとも１つのシェル体における、この平坦部に対して対応する当接面１２とによって形成されている。
【００３４】
端部側に設けられた、両方のリング１３、１４の内の１つのリングは、端部側の面取り部１５を備えている。この面取り部１５は、挿入補助部であり、且つ、締付けスリーブ６１を、軸線方向にシェル体７、８の配列内へと挿入すること、および、予組み付けされた−締付けスリーブ６１とシェル体７、８とから成る−構造ユニットを製造することを可能にする。
この予組み付けは、面取り部１５を有する締付けスリーブ６１が、軸線方向に、シェル体７、８に対して摺動されるというやり方で実施され、その際、これらシェル体７、８が、その場合に、結合手段（固体リンク部）９の半径方向の偏位のもとで、これらシェル体７、８が両方のリング１３、１４の間に位置するに至るまで、半径方向に拡開される。
この位置において、弾性的な結合手段９は、それぞれに、半径方向に外方へと指向するリング１３、１４のカラー部がこれらシェル体７、８を上側から把持する（ｕｅｂｅｒｇｒｅｉｆｔ）というやり方で、シェル体７、８が、再び、これらシェル体の出発位置を占め、且つ、両方のリング１３、１４が、これらシェル体７、８を、軸線方向に、締付けスリーブ６１に保持することのための働きをする。
【００３５】
担持体２におけるプローブシャフト３の半径方向の締付けは、ねじ５が、シェル体７、８の内の１つのシェル体に対して半径方向に、且つ、しかも有利には、第１の作用面Ｋ１〜Ｋ４と第２の作用面Ｋ５〜Ｋ８との間の軸線方向に中央の位置において作用するというやり方で、導入される。このねじ５の位置において、シェル体７内において、切欠き部１０が、このねじ５の位置決めのために形成されている。
【００３６】
図６は、締付けスリーブ６２の第２の実施例を図示している。
第１の実施例との相違において、曲げビーム１０１は、第１の作用面Ｋ１、Ｋ２、Ｋ３、Ｋ４と第２の作用面Ｋ５、Ｋ６、Ｋ７、Ｋ８との間で、それぞれに、弱められて構成されている。弱め部１６は、有利には、軸線方向の第１の位置Ｘ１と軸線方向の第２の位置Ｘ２との間の中央で設けられている。曲げビーム１０１の弱め部１６によって、プローブシャフト３に対するこの曲げビーム１０１の、比較的に均一な平面状の当接が達成され得る。
【００３７】
図７に基づいて、締付けスリーブ６３の第３の実施例を説明する。
既に説明された実施例との相違において、第１の作用面Ｋ１〜Ｋ４は、片側で取り付けられた第１の曲げビーム１０２に、および、第２の作用面Ｋ５〜Ｋ８が、片側で取り付けられた第２の曲げビーム１０３に設けられている。
【００３８】
片側で取り付けられた第１の曲げビーム１０２は、均等に、周囲にわたって分配され、且つ、円周状に、相互に離間されている。これら片側で取り付けられた第１の曲げビームは、上側の、曲げに対して剛性の閉鎖されたリング１３（取付け位置）を出発点として、第１の軸線方向＋Ｘに延在している。
片側で取り付けられた第２の曲げビーム１０３は、同様に均等に、周囲にわたって分配され、且つ、下側のリング１４（取付け位置）を出発点として、第１の軸線方向とは逆に、即ち、軸線方向−Ｘに延在している。これら第１の曲げビーム１０２、および、第２の曲げビーム１０３は、プローブシャフト３の方向に偏位可能であり、且つ、このプローブシャフト３に対して押圧可能である。
【００３９】
両方のリング１３、１４は、剛性のウェブ１７を介して、互いに結合されている。
【００４０】
既に説明された実施例において、曲げビーム１００、１０１、１０２、１０３が、少なくとも、十分に均一に、且つ、十分に、これら曲げビームの全内側でもって、第１の作用面Ｋ１〜Ｋ４の一方の端部を出発点として第２の作用面Ｋ５〜Ｋ８の他方の端部に至るまで達する状態で（ｒｅｉｃｈｅｎｄ）、プローブシャフト３に対して押圧することは保証されている。
【００４１】
図８に基づいて、締付けスリーブ６４の第４の実施例を説明する。
これまた同様に周囲にわたって分配され且つ相互に離間され、片側で取り付けられ且つ取り付け位置を出発点として第１の軸線方向＋Ｘに延在する、第１の曲げビーム１０４が設けられており、これら第１の曲げビームの内のそれぞれの第１の曲げビームが、第１の作用面Ｋ１〜Ｋ４の内の１つの第１の作用面を有している。
更に、周囲のわたって分配され且つ相互に離間され、片側で取り付けられ且つ取り付け位置を出発点として第１の軸線方向とは逆に、即ち−Ｘ方向に延在する、複数の第２の曲げビーム１０５が設けられており、これら第２の曲げビームの内のそれぞれの第２の曲げビームが、第２の作用面Ｋ５〜Ｋ８の内の１つの第２の作用面を有している。
前述の実施例との相違において、ただ１つの閉鎖されたリング２０だけが設けられており、このリングに、第１の曲げビーム１０４と第２の曲げビーム１０５が設けられており、即ち、取り付けられている。
【００４２】
図９に基づいて、締付けスリーブ６５の第５の実施例を説明する。
この締付けスリーブ６５は、周囲のわたって分配され且つ相互に離間され、片側で取り付けられ且つ軸線方向に延在する、複数の曲げビーム１０６を有しており、これら曲げビームが、内方へと、プローブシャフト３に対して押圧可能である。これら曲げビーム１０６の内の１つの曲げビームは、それぞれに、第１の作用面Ｋ１〜Ｋ４の内の１つの作用面、および、第２の作用面Ｋ５〜Ｋ８の内の１つの作用面を有している。これら曲げビーム１０６は、全て、１つのリング２１に設けられており、且つ、全て、このリング２１を出発点とする方向に指向している。
【符号の説明】
【００４３】
１    測長プローブ
２    担持体
３    プローブシャフト
４    接触ピン
５    ねじ
７、８    緊張装置、シェル体
９    結合手段
１０    切欠き部
１１    平坦部
１２    当接面
１３、１４    リング
１５    面取り部
１６    弱め部
１７    ウェブ
２０、２１    リング
６１、６２、６３、６４、６５    締付けスリーブ
１００、１０１、１０２、１０３、１０４、１０５、１０６    曲げビーム１００
Ｋ１、Ｋ２、Ｋ３、Ｋ４    第１の作用面
Ｋ５、Ｋ６、Ｋ７、Ｋ８    第２の作用面
Ｘ１    軸線方向の第１の位置
Ｘ２    軸線方向の第２の位置
Ｘ    長手方向、軸線方向
＋Ｘ    第１の軸線方向
−Ｘ    軸線方向
【図１】
2018063248.tif 000003
【図２】
2018063248.tif 000004
【図３】
2018063248.tif 000005
【図４】
2018063248.tif 000006
【図５】
2018063248.tif 000007
【図６】
2018063248.tif 000008
【図７】
2018063248.tif 000009
【図８】
2018063248.tif 000010
【図９】
2018063248.tif 000011
【外国語明細書】
2018063248000001.pdf